(57)【特許請求の範囲】
【請求項１】
顔料インクの廃インクと染料インクの廃インクとを収容する廃インク収容部であって、
筺体と、
該筺体内に複数積層され、表面が粗面の廃インク吸収体と、
該廃インク吸収体の最上層の一部を覆って載置され、前記最上層の廃インク吸収体との間に非接触部を構成する覆い部材と、
を備え、
前記覆い部材によって覆われた廃インク吸収体はその一部が前記筺体の底面の一部を露出するように切り欠かれており、前記露出した底面で前記顔料インクの廃インクを受けて廃インク吸収体に吸収し、前記覆い部材によって覆われていない大気と連通している廃インク吸収体で前記染料インクの廃インクを受けて吸収するよう構成されており、
前記複数積層された廃インク吸収体は、層間の接触面に微小空間を有して接触面積を小さくし、積層された廃インク吸収体の層間を移動するインクの浸透性に対して廃インク吸収体内を水平方向に移動するインクの浸透性が大きくなるように非圧縮状態で積層されている
ことを特徴とする廃インク収容部。
【請求項２】
前記積層された廃インク吸収体の層間の微小空間は、スペーサーを部分的に介在させて構成されていることを特徴とする請求項１に記載の廃インク収容部。
【請求項３】
前記積層された廃インク吸収体の層間の接触面に構成された微小空間は大気と連通していることを特徴とする請求項１に記載の廃インク収納部。
【発明の詳細な説明】
【技術分野】
【０００１】
本発明は、複数積層され、表面が粗面の廃インク吸収体を備えた廃インク収容部に関する。
【背景技術】
【０００２】
インクジェット記録装置は、インク小滴を普通紙、及び、専用光沢紙や専用コート紙などの記録メディア上に飛翔させ、画像を形成する記録装置であり、その低価格化、印字速度の向上により、急速に普及が進んでいる。また、その記録画像の高画質化が進んだことに加えて、デジタルカメラの急速な普及に伴い、銀塩写真に匹敵する写真画像の出力装置として、広く一般的になってきている。インクジェット記録装置においては、正常なインク吐出状態を維持するため、インクをインクジェットヘッドの吐出口から強制的に排出させる機構と、このインクの強制的な排出によって生じた廃インクを収容する廃インク収容部と、を一般に備えている。廃インク収容部は、インクを吸収保持する廃インク吸収体を有し、廃インクを廃インク吸収体に吸収させた状態で収容保持する機能を有する。
【０００３】
インク記録装置に用いられるインクは、多種多様なものが多いが、近年、画像形成に適した色材自体の改良やインクの成分自体の改良がなされてきている。例えば、普通紙に対する記録の高画質化、特にブラックインクとカラーインクとの境界における混色(ブリード)を抑制できるインクの開発が進められている。特許文献１には、自己分散型カーボンブラックと、特定の塩と、を含有させてなるインクが開示される。このインクによれば、反応液を用いることなく、記録媒体中へのインクの浸透が制限され、結果的にブリードが抑制される。このような画像形成上有効になる成分をインクが含むことは、廃インクを適正に回収して適度に乾燥させる廃インク収容部にとっては、かえって乾燥定着が促進されるため予期せぬ部分で固体化し、廃インク吸収体を有効利用できない場合をもたらす。特許文献２は、このようなインクに対して、インクに含有される色材の凝集を抑制する凝集阻害材を含有したインク吸収体を開示している。この発明は、色材の固着に対しては有効である。
【０００４】
一方、単純に、廃インク吸収体の構造や廃インクの処理を変更した提案がある。特許文献３は、布状の吸収性部材を折り曲げて積層した廃インク吸収体が収納されているインクカートリッジが開示されている。又、特許文献４は蓋で覆われる廃インク貯蔵槽に収納される廃インク吸収体がスリットで多数に分割された吸収部であって、これらの間に隙間を空けて横に並べるものやこれらをずらし単純積層した構成が開示されている。さらに、特許文献５は、インクジェットヘッドからの予備吐出を受ける吸収体の毛羽立ちを防止した樹脂混入繊維を表面に備えた密着積層型廃インク吸収体が備えられている。この密着積層型廃インク吸収体は、インクの浸透を積層方向におこなわせ、廃インクを液体状で保持するもので、表面を除いた全周がケーシングに密着されているインク収納容器タイプの構成である。
【０００５】
更に、単体廃インク吸収体に、顔料系のインクを廃インク導入管から滴下する方式において、顔料系のインクが簡単に乾燥して単体廃インク吸収体のインク吸収能力を充分に発揮できない課題がある。この課題を解決するために何らかの添加剤を単体廃インク吸収体に付与して蒸発を見込むものの、廃インクを廃インク吸収体中の液体で保持しようとする提案が近年多く見られる。例えば、特許文献６は保湿剤と塩基とを含む含浸液が含まれている廃インク吸収体を開示している。特許文献７は水溶性樹脂を含む含浸液が含まれている廃インク吸収体を開示している。特許文献８は水難溶性樹脂を含む含浸液が含まれている廃インク吸収体を開示している。特許文献９はジオール、シリコーン界面活性剤及びグリセリンを含む含浸液が含まれている廃インク吸収体を開示している。また、特許文献１０は、廃インクの泡立ちを防止するため、消泡剤を含む含浸液が含まれている廃インク吸収体を開示している。尚、これらの文献には、表面の一部に飽和ポリエステルフィルム層を設けて、吸収された廃インクを含浸液と共に乾燥させないことが共通して記載されている。
【特許文献１】特開２０００−１９８９５５号公報
【特許文献２】特開２００６−１６８３５２号公報
【特許文献３】特開平５−１６２３３４号公報
【特許文献４】特開２０００−２０３０５９号公報
【特許文献５】特開平１０−２９６９９９号公報
【特許文献６】特開２００６−２６３９３７号公報
【特許文献７】特開２００６−２７２７３３号公報
【特許文献８】特開２００６−２７２７３４号公報
【特許文献９】特開２００６−２７２７３５号公報
【特許文献１０】特開２００７−３０２３５号公報
【発明の開示】
【発明が解決しようとする課題】
【０００６】
本発明者らは、上記従来技術に開示されている技術概念を長尺板状廃インク吸収体の単純積層型で実際に行った。例えば、廃インク吸収体に、何らかの高分子溶剤を含ませた状態の含浸構成を採用したところ、廃インクは吸収体全体に拡散せずに、むしろ部分的に集中してしまう傾向があった。つまり廃インク量がわずかにもかかわらず、廃インクが短期間で廃インク吸収体の表面の一部に上昇してしまった。この状態の後に、廃インクは廃インク吸収体表面に鍾乳石の様に堆積してしまった。特に、この傾向は、紙面上における色材の凝集性が高いインクにおいては顕著であった。この含浸構成に上記文献にある飽和ポリエステルフィルム層を接着して設け、蒸発を防止しようとしたが、前記鍾乳石がこのフィルムを押し上げてインクジェットヘッドと接触する異常状態となってしまった。更に、近年でのインク使用効率を向上するために予備吐出（ヘッドからの回復用吐出）を最小化すると、この傾向は極めて顕著であった。この原因は、予備吐出が少ないため廃インク自体の水分蒸発率が大きいことも確認できた。特に、廃インク吸収体を長尺板状とした場合は、この傾向は顕著であり、長尺板状廃インク吸収体を密着積層した場合も同様な傾向を示した。このように、従来の着想では、上記課題のいずれも解決できないという結論に至った。
【０００７】
本発明の課題は、上述した経緯によって初めて新たに見出されたもので、本発明の主たる目的はこれらのいずれか１つの課題を解決できる発明を提供することにある。
【０００８】
本発明の第１目的は、廃インク吸収体に対する廃インクの挙動を解析し、どのような廃インクでも吸収体本来の機能を充分に発揮し、吸収体の吸収能力を発揮せしめることのできる新規な廃インク吸収ユニットを提供することにある。
【０００９】
本発明の第２の目的は、小空間に対して最適で、長期間のインク吸収を達成し、プリンタの信頼性を確保できる新規な廃インク吸収ユニットを備えたプリンタを提供することにある。
【００１０】
本発明の第３の目的は、廃インク吸収体の特性に左右されずに、水分量が少ない廃インクであっても有効活用でき、所望の期間に対して充分な機能が維持できる新規な廃インク吸収ユニットを提供することにある。
【課題を解決するための手段】
【００１１】
本発明は、上記目的を達成するためになされたものであり、本発明にかかる廃インク収容部は、顔料インクの廃インクと染料インクの廃インクとを収容する廃インク収容部であって、
筺体と、
該筺体内に複数積層され、表面が粗面の廃インク吸収体と、
該廃インク吸収体の最上層の一部を覆って載置され、前記最上層の廃インク吸収体との間に非接触部を構成する覆い部材と、
を備え、
前記覆い部材によって覆われた廃インク吸収体はその一部が前記筺体の底面の一部を露出するように切り欠かれており、前記露出した底面で前記顔料インクの廃インクを受けて廃インク吸収体に吸収し、前記覆い部材によって覆われていない大気と連通している廃インク吸収体で前記染料インクの廃インクを受けて吸収するよう構成されており、
前記複数積層された廃インク吸収体は、層間の接触面に微小空間を有して接触面積を小さくし、積層された廃インク吸収体の層間を移動するインクの浸透性に対して廃インク吸収体内を水平方向に移動するインクの浸透性が大きくなるように非圧縮状態で積層されていることを特徴とする。
【発明の効果】
【００１３】
本発明によれば、ブリード抑制性能及び画像保存性を向上させたインクセットを用いる場合であっても、蒸発抑制機能を有する覆い部材により廃インクの蒸発が抑制されることで廃インク吸収体の表面あるいは内部における廃インクの凝集が抑制される。更に、本発明によれば、廃インクの蒸発と吸収体への拡散・吸収のバランスを保って、廃インク吸収体の吸収能力を低下させることなく廃インクを廃インク吸収体全体にわたって吸収できる。即ち、どのような廃インクでも吸収体本来の機能を充分に発揮し、吸収体の吸収能力を発揮せしめることができた。
【００１４】
また、凝集抑制液体（グリセリン等の有機溶剤の総称）を廃インク吸収体に含浸させてはいないので、廃インクの水分保有量を急激に減少させる事が無くなる。従って、この廃インクの水分保有量の急激な減少による堆積の発生という新規な課題をも解決し、様々な使用環境、使用方法においても記録装置内部や印字物裏面の汚れをも防止できる。結果として、これにより廃インク収容部の小型化、記録装置としての信頼性向上及び寿命向上につながる。
【発明を実施するための最良の形態】
【００１５】
インクジェット記録装置の小型化に伴って、廃インク吸収ユニットにも、装置内にコンパクトに収納でき、かつ装置内の空間を記録機能への影響なしに有効に利用可能な形状及び配置が可能であり、かつ廃インク吸収機能を有効に発揮可能であることが求められる。上述したように、インクジェット用インクには、多種多用な用途に対する適用性や機能が要求されている。そこで、顔料などの分子量の大きな成分あるいは凝集しやすい成分をインクに含有させた際には、インクの機能を保持する上で、複雑な組成が用いられる場合が多い。このような多種多様なインクに対しても有効な廃インク吸収ユニット（廃インク収容部と言うこともある）が必要となる。
【００１６】
ところが、組成が複雑なインクでは、廃インク吸収体中でのその挙動も、複雑であり、単純な組成の染料を含むインクからは予測不能である。溶媒成分の蒸発などの変化が生じた際に凝集しやすい性質を有するインクでは、溶媒成分として機能する有機溶媒を予め廃インク吸収体に含浸させておいても、廃インク吸収体中への所望とする廃インクの浸透状態が得られない場合が生じる。
【００１７】
また、本発明者らは廃インク吸収体を長尺板状として、廃インク吸収体の大気に開放された（大気と接触した）面を大きくする点についても検討した。すなわち、これらの面からの廃インクに含まれる溶媒の蒸発を促進させ、廃インクの供給部分からの廃インク吸収体全体への廃インクの浸透を促進可能であるとの仮説を立てた。しかしながら、このような廃インク吸収体の表面を大気に露出した状態では、先に述べたような廃インク吸収体が効率よく利用されない場合が生じた。本発明者らは、かかる問題を解決する上で重要な問題として、廃インク吸収体内に保持されている空気の移動に関する動力学と廃インク吸収体に供給される廃インク、更には、廃インク吸収体中を移動する廃インクの物性の変化が挙げられることに着目した。そして、廃インク吸収体の上部を構成する部分における保持空気の移動が適度に抑制されて、そこからの溶媒成分の蒸発も適度に制御されることで、廃インクの廃インク吸収体内での効果的な移動とそこへの収容保持が可能となるとの知見を得た。具体的には、かかる保持空気の移動と廃インク溶媒成分の蒸発の抑制を行うことで、長尺廃インク吸収体の長手方向の廃インクの浸透（移動）速度を、その厚み方向の浸透（移動）速度に対して相対的に上げることができると考えられる。その結果、廃インク吸収体の長手方向に優勢に廃インクを移動させて、廃インク吸収体全体を有効に利用可能となると考えられる。このような機能を得る上で、本発明では、廃インク吸収体の最上部の上面の一部に吸収体との間に非接触部を有するように積層体に対する圧縮作用が働かないように配された覆い部材が備えられる構成を採用した。また、廃インク吸収体の上面の一部に、廃インク吸収体の蒸発成分の蒸発を抑制する覆い部材（蒸発抑制部材）を、廃インク吸収体の上面に対して空間を持って配置するという極めて簡易な構成を採用している。あるいは、廃インク吸収体の上面の２つのインク受け部を跨って、廃インク吸収体の蒸発成分の蒸発を抑制する覆い部材（材蒸発抑制部）を、廃インク吸収体の上面に対して空間を持って配置するという極めて簡易な構成を採用している。覆い部材による蒸発抑制とは、廃インク吸収体内での上述した長手方向に優勢に廃インクを移動させるために必要とされる蒸発が得られる程度に蒸発を抑制することをいい、蒸発を完全に防止することではない。このような機能を発揮する部材を表現するために覆い部材を蒸発抑制部材と言うこともある。
【００１８】
インクジェット装置に組み込まれる廃インク収容部の構造は、最上部にある廃インク吸収体の上面の一部に吸収体との間に非接触部を有するように積層体に対する圧縮作用が働かないように配された覆い部材を配する。また、廃インク収容部は、記録に用いられなかった廃インクを収容するものであり、長尺板状の廃インク吸収体の複数を積み上げて形成した積層体を有する廃インク収容ユニット部を装置内部に有する。この積層体の少なくとも最上部の廃インク吸収体は有機溶剤を含まず且つ大気と接触している面を有する。また、このインクジェット装置は、廃インクを廃インク吸収体ユニット部（廃インク収容部）に導く第１のインク受け部と第２のインク受け部を有する。そして、最上部の廃インク吸収体の上面には、該最上部の廃インク吸収体との間に空間を形成して配置され且つ２つのインク受け部を跨った蒸発抑制部材を備えている。
【００１９】
複数の廃インク吸収体は、互いの界面が単純積層された積層体を形成している。ここで、単純積層とは、複数の廃インク吸収体を単純に積み上げた状態での積層であり、各層間は接着や融着などの処理が為されていない。各層の界面に空間が残された状態で積層体が形成され、かつ、この空間は、大気と連通可能となっていることが好ましい。このように層間に空間を備える構成となっていることが上方への蒸発による廃インクの移動の抑制に寄与している。なお、非吸収性のスペーサーを部分的に介在させることによって空間を構成するような対応も本発明の構成に含まれる。
【００２０】
廃インク収容ユニットは廃インク吸収体の一部を切り欠いた形状のインク受け部を有し、蒸発抑制部材は、第１のインク受け部が廃インクを受けることを許容する開口部を有していることが実用上好ましい。
【００２１】
蒸発抑制部材に覆われた廃インク吸収体の体積は、前記蒸発抑制部材に覆われた第１の廃インク吸収体部の体積に対し、前記蒸発抑制部材に覆われた第２の廃インク吸収体部の体積が小さいことが事実上望ましい。
【００２２】
以下、本発明の実施形態を詳細に説明する。
【００２３】
本発明は、廃インクを吸収体内に理想的に拡散させ、廃インク吸収体の表面や内部において発生するインクの堆積を防止するために、廃インクが凝集を始める前に拡散させ、廃インク吸収体の一部に廃インクを集中させないことを実現するものである。
【００２４】
以下、本発明の実施形態を図面に基づいて説明する。
＜廃インク収納ユニット＞
図１は、本発明におけるインク記録装置の長尺板状廃インク吸収体を含む廃インク収容部（以下、廃インク収納ユニットとも言う）９の第1の構成例を示す分解斜視図である。本例の廃インク収納ユニットは、不図示のインク記録装置の一部であって、正常なインク吐出状態を維持するため、インクジェットヘッドの吐出口からインクを強制的に排出し収容するものである。
【００２５】
廃インク収納ユニット９は、強制的に排出されたインクを収容する長尺板状廃インク吸収体を有する。長尺板状廃インク吸収体は、最上部にある第１長尺板状廃インク吸収体１、底部にある第２長尺板状廃インク吸収体２、中間層としての第３長尺板状廃インク吸収体３の３つが積層されて構成されている。各長尺板状廃インク吸収体は、長手方向（図１における左右方向）の長さの、長手方向に交差する横手方向に対する比が大きいものである。更に、その厚さは、インクジェット装置の構造や要求される廃インク吸収能などによって適宜選択されるが、コンパクトな装置への装着を目的とする場合には、３ｍｍ〜１５ｍｍ、好ましくは５ｍｍ〜１２ｍｍの範囲から選択する。長尺板状廃インク吸収体の長手方向は廃インク吸収体の厚みに対しておよそ５〜２０倍の長さ、横手方向は廃インク吸収体の厚みに対して３〜１０倍程度の寸法として構成される。また、各長尺板状廃インク吸収体として、最上部にあるものも、その下方に配置されるものも有機溶剤の含浸処理が施されていないものが利用される。
【００２６】
各長尺板状廃インク吸収体１、２、３の互いの界面は接着や加圧等による圧縮作用が働かず密着状態になっておらず、単純積層になっている。本例では、各長尺板状廃インク吸収体は、廃インクを吸収し得る多孔質材料から形成され、表面が平滑面ではなく粗面となっており、そのため、各長尺板状廃インク吸収体１、２、３の間には、微小な空間が形成される。
【００２７】
また、長尺板状廃インク吸収体の単純積層枚数は、２枚以上で有れば、特に、限定されるものではない。
【００２８】
廃インク収納ユニット９の廃インクチューブ４、５はインクジェットヘッドの吐出口から強制的に排出したインクを長尺板状廃インク吸収体に排出する構成になっている。本例における廃インクチューブ４から排出されるインクとは、貧溶媒を含有させた顔料インクであって、凝集性の高い顔料インクであって、廃インクチューブ５から排出されるインクとは、顔料インクと混合することで凝集性を一層高める染料インクである。また、顔料インクと染料インクが混合した場合、顔料インクの凝集性を高めないものであれば、染料インクと顔料インクを混合し、廃インクチューブ４から排出してもよい。
【００２９】
廃インクチューブ４から排出される長尺板状廃インク吸収体の開口部１０と各長尺板状廃インク吸収体１、２、３の一部を覆うように覆い部材（以下蒸発抑制部材ともいうこともある）６が構成され、蒸発抑制部材６は、上面６１と側面６２、６３、６４の４面を有している。また、蒸発抑制部材６には、廃インクチューブ４を組み込むためのスリット・開口部７（第１のインク受け部）が形成されている。
【００３０】
蒸発抑制部材６の側面６４は開口し、３面で構成されていてもよく、特に、限定されない。蒸発抑制部材６は吸収体との間に非接触部を有するように、また、上述のように吸収体の積層間に対して圧縮作用が働かないように配されている。
【００３１】
図２は、長尺板状廃インク吸収体１、２、３と廃インクチューブ４、５と蒸発抑制部材６を組み込んだ廃インク収納ユニット９の斜視図である。廃インクチューブ４の先端部は蒸発抑制部材６のスリット・開口部７を通し、開口部１０（開口部７及び１０は図１で記載）の位置に固定されている。廃インクチューブ５から第２長尺板状廃インク吸収体２の突き出し面上に染料インクが排出され、廃インクチューブ４から第２長尺板状廃インク吸収体２の開口部１０（図１で記載）に顔料インクが排出される。また、開口部１０に排出された顔料インクは、第２長尺板状廃インク吸収体２の開口部１０（図１で記載）近傍の断面から収納される。
【００３２】
蒸発抑制部材６は、開口部１０（図１で記載）、長尺板状廃インク吸収体１、２、３の一部を覆い、廃インク収納ユニット９の底面部にある筐体（不図示）に接触している。
【００３３】
廃インクチューブ４の断面形状よりスリット・開口部７が大きく形成されているため、開口部１０（図１で記載）は、スリット・開口部７を介し実質的に大気に開放されている。また、第１長尺板状廃インク吸収体１と蒸発抑制部材６との間に微小空間が形成されていることで、スリット・開口部７を介し実質的に大気に開放されている。この微小空間とスリット・開口部７によって矢印Ｔ１から矢印Ｔ２方向、または、矢印Ｔ２からＴ１方向（不図示）に空気の流れが発生するよう形成されている。この蒸発抑制部材６は、廃インクチューブ４から排出された顔料インクを早期に蒸発させないものであって、開口部１０（図１で記載）は微小空間から外部に連通していることによってゆっくり顔料インクの蒸発は進行する。
【００３４】
蒸発抑制部材６は、前記第１長尺板状廃インク吸収体１からの蒸発成分の通過を実質的に抑制する機能を有するものであり、かかる機能を発揮できる材質から形成される。前記第１長尺板状廃インク吸収体１の上面の蒸発抑制部材６で覆う位置は、少なくとも、開口部１０を取り囲んだ位置から、図２に示すように、顔料インクを収容する部分のほぼ全面を覆うまでの範囲から適宜選択できる。
【００３５】
また、次に示す構成が採用されても良い。図３は、本発明におけるインク記録装置の長尺板状廃インク吸収体を含む廃インク収納ユニット（廃インク収納部）の第２の構成例を示す分解斜視図である。本例の廃インク収納ユニット１０９は、不図示のインク記録装置の一部であって、正常なインク吐出状態を維持するため、インクジェットヘッドの吐出口からインクを強制的に排出し収容するものである。
【００３６】
廃インク収納ユニット１０９は、強制的に排出されたインクを収容する長尺板状廃インク吸収体を有する。長尺板状廃インク吸収体は、最上部にある第１長尺板状廃インク吸収体１、底部にある第２長尺板状廃インク吸収体２、中間層としての第３長尺板状廃インク吸収体３の３つが積層されたものから構成されている。各長尺板状廃インク吸収体は、長手方向（図３における左右方向）の長さの、長手方向に交差する横手方向に対する比が大きいものである。更に、その厚さは、インクジェット装置の構造や要求される廃インク吸収能などによって適宜選択されるが、コンパクトな装置への装着を目的とする場合には、３ｍｍ〜１５ｍｍ、好ましくは５ｍｍ〜１２ｍｍの範囲から選択する。長尺板状廃インク吸収体の長手方向は廃インク吸収体の厚みに対しておよそ５〜２０倍の長さ、横手方向は廃インク吸収体の厚みに対して３〜１０倍程度の寸法として構成される。また、各長尺板状廃インク吸収体として、最上部にあるものも、その下方に配置されるものも有機溶剤の含浸処理が施されていないものが利用される。
【００３７】
各長尺板状廃インク吸収体１、２、３の互いの界面は接着や加圧等による圧縮作用が働かず密着状態になっておらず、単純積層になっている。本例では、各長尺板状廃インク吸収体は、廃インクを吸収し得る多孔質材料から形成され、表面が平滑面ではなく粗面となっており、そのため、各長尺板状廃インク吸収体１、２、３の間には、微小な空間が形成される。
【００３８】
また、長尺板状廃インク吸収体の単純積層枚数は、２枚以上で有れば、特に、限定されるものではない。
【００３９】
廃インク収納ユニット１０９の廃インクチューブ４、５はインクジェットヘッドの吐出口から強制的に排出したインクを長尺板状廃インク吸収体に排出する構成になっている。本例における廃インクチューブ４から排出されるインクとは、貧溶媒を含有させた顔料インクであって、凝集性の高い顔料インクであって、廃インクチューブ５から排出されるインクとは、顔料インクと混合することで凝集性を一層高める染料インクである。
【００４０】
廃インクチューブ４から排出される長尺板状廃インク吸収体の開口部１０と廃インクチューブ５から排出される各長尺板状廃インク吸収体１、２、３の一部と、を覆うように蒸発抑制部材（覆い部材）１０６が構成される。蒸発抑制部材１０６は、上面１６１と側面１６２、１６３、１６４、１６５の５面を有している。また、蒸発抑制部材１０６には、廃インクチューブ４を組み込むためのスリット・開口部１０７（第１のインク受け部）と廃インクチューブ５が貫通する開口部１６６が形成されている。
【００４１】
図４は、長尺板状廃インク吸収体１、２、３と廃インクチューブ４、５と蒸発抑制部材１０６を組み込んだ廃インク収納ユニット１０９の斜視図である。廃インクチューブ４の先端部は蒸発抑制部材１０６のスリット・開口部１０７（第１のインク受け部）を通し、開口部１０（図３で記載）の位置に固定されている。廃インクチューブ５の先端部は蒸発抑制部材１０６の開口部１６６（第２のインク受け部）を通し、第１長尺板状廃インク吸収体１上に位置している。廃インクチューブ５から第１長尺板状廃インク吸収体１に染料インクが排出され、廃インクチューブ４から第２長尺板状廃インク吸収体２の開口部１０（図３で記載）に顔料インクが排出される。また、開口部１０に排出された顔料インクは、第２長尺板状廃インク吸収体２の開口部１０（図３で記載）近傍の断面から収納される。
【００４２】
蒸発抑制部材１０６は、開口部１０（図３で記載）と廃インクチューブ５から染料インクが排出される部分を跨ぐように長尺板状廃インク吸収体１、２、３の一部を覆い、廃インク収納ユニット１０９の底面部にある筐体（不図示）に接触している。
【００４３】
廃インクチューブ４の断面形状よりスリット・開口部１０７が大きく形成されているため、開口部１０（図３で記載）は、スリット・開口部１０７を介し実質的に大気に開放されている。また、第１長尺板状廃インク吸収体１と蒸発抑制部材１０６との間に微小空間が形成されていることで、スリット・開口部１０７を介し実質的に大気に開放されている。また、廃インクチューブ５から排出され廃インクを受ける長尺板状廃インク吸収体１と蒸発抑制部材１０６との間にも微小空間が形成され、実質的に開口部１０まで連通している。開口部１０近傍の微小空間とスリット・開口部１０７によって矢印Ｔ１から矢印Ｔ２方向、または、矢印Ｔ２からＴ１方向（不図示）に空気の流れが発生するよう形成されている。この蒸発抑制部材１０６は、長尺板状廃インク吸収体１、２、３の一部を覆い、長尺板状廃インク吸収体１に収納された染料インクの気化によって一時的に高湿になり廃インクチューブ４から排出された顔料インクを早期に蒸発させないものである。また、開口部１０（図３で記載）が微小空間から外部に連通していることによってゆっくり顔料インクの蒸発は進行する。
【００４４】
蒸発抑制部材１０６は、前記第１長尺板状廃インク吸収体１からの蒸発成分の通過を実質的に抑制する機能を有するものであり、かかる機能を発揮できる材質から形成される。前記第１長尺板状廃インク吸収体１の上面の蒸発抑制部材１０６で覆う位置は、少なくとも、開口部１０を取り囲んだ位置から、図４に示すように、顔料インクを収容する部分のほぼ全面を覆うまでの範囲から適宜選択できる。また、少なくとも、廃インクチューブ５の排出部を取り囲んだ位置から、図４に示すように、顔料インクを収容する部分より小さい面を覆い、顔料インクの収納と染料インクの収納を跨った範囲で適宜選択できる。
【００４５】
＜顔料インクの拡散＞
図５は、本発明における排出された顔料インクが長尺板状廃インク吸収体内に拡散する状態を説明するための図２のＶ−Ｖ線に沿う廃インク収納ユニットの断面図である。なお、以降の説明は、図３、図４で示される構成例においても全く同様に説明できるが、便宜的に図１、図２で使用した符号を用いて説明する。図５（ａ）は、廃インクチューブ４から顔料インクが排出される部分を中心に廃インク収納ユニットを示した断面図である。第２長尺板状廃インク吸収体２の開口部１０にインクが排出される構造になっており、排出された顔料インクは開口部１０近傍の第２長尺板状廃インク吸収体２の断面から収納される。
【００４６】
蒸発抑制部材６と第１長尺板状廃インク吸収体１との間には微小空間１６、４６が形成されており、微小空間１６、４６を介して、開口部１０は実質的に大気に開口されている。
【００４７】
図５（ｂ）は、図５（ａ）の点線枠部分を拡大した断面図である。長尺板状廃インク吸収体２は筐体１９上に単純に積層され、長尺板状廃インク吸収体１、３も同様に単純に積層されている。各長尺板状廃インク吸収体１、２、３間の接触面積は、単純積層のために小さく、各長尺板状廃インク吸収体１、２、３の間に微小空間１４、１５が存在する。
【００４８】
長尺板状廃インク吸収体１，２，３は毛管力を持ち、開口部１０に排出された顔料インク１８は長尺板状廃インク吸収体２に収納される。第２長尺板状廃インク吸収体２の中の顔料インクは、第２長尺板状廃インク吸収体２による浸透力Ｆ１と第３長尺板状廃インク吸収体３による浸透力Ｆ２により拡散される。ただし、第２長尺板状廃インク吸収体２と第３長尺板状廃インク吸収体３との接触面積が小さいため、浸透力Ｆ２の方向に顔料インクは拡散しづらく、浸透力Ｆ１の方向に拡散しやすい。
【００４９】
第２長尺板状廃インク吸収体２内の浸透力Ｆ１と第２長尺板状廃インク吸収体２から第３長尺板状廃インク吸収体３への浸透力Ｆ２の関係は、Ｆ１＞Ｆ２となっている。そのために、第２長尺板状廃インク吸収体２に収納された顔料インクの保持量が上がった際に、浸透力Ｆ２の方向に拡散し、第３長尺板状廃インク吸収体３に収納される。
【００５０】
同様に、第３長尺板状廃インク吸収体３の中の顔料インクは、第３長尺板状廃インク吸収体３と第１長尺板状廃インク吸収体１との接触面積が小さいため、浸透力Ｆ４の方向に顔料インクは拡散しづらく、浸透力Ｆ３の方向に拡散しやすい。
【００５１】
また、浸透力Ｆ３とＦ４の関係は、Ｆ３＞Ｆ４となっているために、第３長尺板状廃インク吸収体３に収納された顔料インクの保持量が上がった際に、浸透力Ｆ４の方向に拡散し、第１長尺板状廃インク吸収体１に収納される。
【００５２】
長尺板状廃インク吸収体１、２、３の中の顔料インクは、浸透力Ｆ１、Ｆ３、Ｆ５の方向に素早く拡散し、開口部１０近傍の長尺板状廃インク吸収体に顔料インクが溜まりづらい。また、図４を用いた説明において述べたように染料インクの蒸発成分と顔料インク蒸発成分を蒸発抑制部材によって保持するために顔料インク１８の急激な蒸発を抑制し、長尺板状廃インク吸収体内を拡散している際の顔料インクの凝集を抑制している。
【００５３】
図６は、図５（ａ）の廃インク収納ユニットに、顔料インクが収納される過程を示した断面図である。
【００５４】
図６（ａ）は、廃インクチューブ４から顔料インクが排出される前の状態を示し、図６（ｂ）、（ｃ）、（ｄ）、（ｅ）は、開口部１０から顔料インクが排出され、長尺板状廃インク吸収体１、２、３に顔料インクが拡散する過程を示している。
【００５５】
図６（ｂ）は、開口部１０への顔料インクの排出量が少ない状態であって、第２長尺板状廃インク吸収体２の開口部１０の近傍から顔料インクを収納し、矢印１７方向に拡散している状態である。図５と同様、長尺板状廃インク吸収体２、３の間は、単純積層であるため、微小空間があり、顔料インクは第３長尺板状廃インク吸収体３に拡散されづらい。また、長尺板状廃インク吸収体２の中の顔料インクは、矢印１７方向に拡散しながら蒸発し始め、顔料を含まない溶剤部分Ｘと水リッチで顔料を含む顔料部分Ｙに分離する。ただし、蒸発し始めてすぐに、顔料部分Ｙは拡散できない状態になるのではなく、蒸発抑制部材６によって、急激な顔料インクの蒸発を抑制しているために、顔料部分Ｙの拡散後に顔料が凝集することになる。
【００５６】
次に、図６（ｃ）では、顔料インクがさらに排出され、開口部１０近傍の第２長尺板状廃インク吸収体２の一部が保持可能な量まで顔料インクを収納した状態である。この状態から第２長尺板状廃インク吸収体２と第３長尺板状廃インク吸収体３との接触している部分から顔料インクが拡散し始める。
【００５７】
図６（ｄ）では、開口部１０近傍の第２長尺板状廃インク吸収体２と第３長尺板状廃インク吸収体３の一部が保持可能な量まで顔料インクを収納した状態である。この状態から第３長尺板状廃インク吸収体３と第１長尺板状廃インク吸収体１との接触している部分から顔料インクが拡散し始める。
【００５８】
図６（ｅ）では、顔料インクが第１長尺板状廃インク吸収体１まで達している状態である。顔料インクは長尺板状廃インク吸収体２，３の中を十分拡散した状態になっており、第３長尺板状廃インク吸収体３と第１長尺板状廃インク吸収体１との接触している部分から顔料インクが矢印１７の方向に拡散し始める。
【００５９】
この顔料インクの拡散過程では、開口部１０から矢印１７方向に拡散していくために、開口部１０近傍の長尺板状廃インク吸収体に大量の顔料インクが残ってしまい、顔料インクが固着することで発生する顔料インクの堆積を回避する。
【００６０】
図７は、本発明の効果を説明するための図５に対する比較例であって、排出された顔料インクが長尺板状廃インク吸収体内に拡散する状態を説明するための廃インク収納ユニットの断面図である。
【００６１】
図７（ａ）は、廃インクチューブ４から顔料インクが排出される部分を中心に廃インク収納ユニットを示した断面図である。第２長尺板状廃インク吸収体２の開口部３０にインクが排出される構造になっており、排出された顔料インクは開口部３０近傍の第２長尺板状廃インク吸収体２の断面から収納される。蒸発抑制部材６と第１長尺板状廃インク吸収体１との間は接着もしくは、加圧状態で積層された状態であり、図５（ａ）の微小空間１６、４６は形成されていない。
【００６２】
図７（ｂ）は、図７（ａ）の点線枠部分を拡大した断面図である。長尺板状廃インク吸収体２は筐体１９上に接着もしくは、加圧状態で積層され、各長尺板状廃インク吸収体１、２、３も同様に接着もしくは、加圧状態で積層されている。各長尺板状廃インク吸収体１、２、３間の接触面積は、単純積層と比較した場合、極端に大きく、各長尺板状廃インク吸収体１、２、３間の浸透力が大きい。
【００６３】
各長尺板状廃インク吸収体１、２、３は毛管力を持ち、開口部３０に排出された顔料インク１８は長尺板状廃インク吸収体２に収納される。第２長尺板状廃インク吸収体２の中の顔料インクは、第２長尺板状廃インク吸収体２の中を浸透する力と第２長尺板状廃インク吸収体２から第３長尺板状廃インク吸収体３方向に浸透する力によって、浸透力Ｆ１１の方向に顔料インクが拡散される。
【００６４】
同様に、第３長尺板状廃インク吸収体３の中の顔料インクは、第３長尺板状廃インク吸収体３の中を浸透する力と第３長尺板状廃インク吸収体３から第１長尺板状廃インク吸収体１方向に浸透する力によって、浸透力Ｆ１１の方向に顔料インクが拡散される。
【００６５】
蒸発抑制部材６は、顔料インク１８の蒸発を抑制させ、各長尺板状廃インク吸収体１、２、３中の顔料インクの蒸発も抑制している。そのため、開口部３０近傍の長尺板状廃インク吸収体１、２、３内の湿度は、長期に渡って略飽和状態を維持し、その結果、開口部３０近傍の長尺板状廃インク吸収体１、２、３の濡れ性が変化を起こす。この濡れ性変化によって、開口部３０近傍の第２長尺板状廃インク吸収体２から第３長尺板状廃インク吸収体３方向に浸透する力や、第３長尺板状廃インク吸収体３から第１長尺板状廃インク吸収体１方向に浸透する力が高い。
【００６６】
また、図５（ｂ）では、蒸発抑制部材６は、顔料インク１８の早期蒸発を抑制させ、各長尺板状廃インク吸収体１、２、３中の顔料インクの早期蒸発も抑制するものであって、顔料インクの排出後、長期に渡って蒸発を抑制するものではない。蒸発抑制部材６のスリット・開口部７と微小空間１６、４６が実質的に外部に開放していることで、顔料インクはゆっくり蒸発する。そのため、開口部１０近傍の長尺板状廃インク吸収体１、２、３内の湿度は、時間経過とともに外部の湿度環境となり、湿度開口部１０近傍の長尺板状廃インク吸収体１、２、３の濡れ性変化が起きづらい。
【００６７】
図８は、図７（ａ）の廃インク収納ユニットに、顔料インクが収納される過程を示した断面図である。
【００６８】
図８（ａ）は、廃インクチューブ４から顔料インクが排出される前の状態を示し、図８（ｂ）、（ｃ）、（ｄ）、（ｅ）は、開口部３０から顔料インクが排出され、長尺板状廃インク吸収体１，２，３に顔料インクが拡散する過程を示している。
【００６９】
図８（ｂ）は、開口部３０への顔料インクの排出量が少ない状態であって、第２長尺板状廃インク吸収体２の開口部３０の近傍から顔料インクを収納し、矢印３７方向に拡散している状態である。図７と同様、長尺板状廃インク吸収体２、３の間は、接着もしくは、加圧状態で積層されているため、顔料インクは第３長尺板状廃インク吸収体３方向の矢印３７方向に拡散される。また、長尺板状廃インク吸収体１、２、３の中の顔料インクは、矢印３７方向に拡散しながら蒸発し始め、顔料を含まない溶剤部分Ｘと水リッチで顔料を含む顔料部分Ｙに分離する。ただし、蒸発し始めてすぐに、顔料部分Ｙは拡散できない状態になるのではなく、蒸発抑制部材６によって、急激な顔料インクの蒸発を抑制しているために、顔料部分Ｙの拡散後に顔料が凝集することになる。
【００７０】
次に、図８（ｃ）では、顔料インクがさらに排出され、開口部３０近傍の長尺板状廃インク吸収体内の顔料インクが矢印３７方向に拡散した状態である。矢印３７方向に進んだ顔料インクが凝集を始め、開口部３０近傍の長尺板状廃インク吸収体の断面部には顔料インクの堆積物３１が発生する。
【００７１】
図８（ｄ）では、顔料インクの排出量が増え、開口部３０近傍の長尺板状廃インク吸収体の断面部には、顔料インクの堆積物３１は成長し始め、廃インクチューブ４から排出した顔料インクは、顔料インクの堆積物３１の中に閉じこめられ、さらに堆積が進む。
【００７２】
図８（ｅ）では、開口部３０近傍の顔料インクの堆積物３１が成長し、廃インクチューブ４が埋没している状態である。この状態では、廃インクチューブ４から適切に顔料インクを排出することができず、インクジェットヘッドの吐出状態を安定させることができない。また、顔料インクの堆積物３１が鍾乳石のように成長することで、蒸発抑制部材６を押し上げて顔料インクが漏れ出す。
【００７３】
図９は、本発明の効果を説明するための図６に対する比較例であって、排出された顔料インクが長尺板状廃インク吸収体内に拡散する状態を説明するための廃インク収納ユニットの断面図である。
【００７４】
図９（ａ）は、廃インクチューブ４から顔料インクが排出される前の状態であり、長尺板状廃インク吸収体からの蒸発成分の通過を防止し蒸発抑制部材６と単体の長尺板状廃インク吸収体４２との間に微小空間を形成した状態を示している。また、図９（ｂ）、（ｃ）、（ｄ）は、開口部４０から顔料インクが排出され、長尺板状廃インク吸収体４２に顔料インクが拡散する過程を示している。
【００７５】
図９（ｂ）は、開口部４０への顔料インクの排出量が少ない状態であって、長尺板状廃インク吸収体４２の開口部４０の近傍から顔料インクを収納し、矢印４７方向に等方的に拡散している状態である。また、長尺板状インク吸収体４２の中の顔料インクは、矢印４７方向に拡散しながら蒸発し始め、顔料を含まない溶剤部分Ｘと水リッチで顔料を含む顔料部分Ｙに分離する。ただし、蒸発し始めてすぐに、顔料部分Ｙは拡散できない状態になるのではなく、蒸発抑制部材６によって、急激な顔料インクの蒸発を抑制しているために、顔料部分Ｙの拡散後に顔料が凝集することになる。
【００７６】
次に、図９（ｃ）では、顔料インクがさらに排出され、開口部４０近傍の長尺板状廃インク吸収体内の顔料インクが矢印４７方向に等方的に拡散した状態である。矢印４７方向に進んだ顔料インクが凝集を始め、開口部４０近傍の長尺板状廃インク吸収体４２の断面部には顔料インクの堆積物４１が発生する。
【００７７】
図９（ｄ）では、開口部４０近傍の顔料インクの堆積物４１が成長し、廃インクチューブ４が埋没している状態である。この状態では、廃インクチューブ４から適切に顔料インクを排出することができず、インクジェットヘッドの吐出状態を安定させることができない。また、顔料インクの堆積物４１が鍾乳石のように成長することで、蒸発抑制部材６を押し上げて顔料インクが漏れ出す。
【００７８】
<廃インク吸収体＞
廃インク吸収体は、毛管力を発生するものであれば、特に制限なく選択できる。一例として、ウレタンフォームや、繊維で形成されたポリエステルやパルプ等であれば、吸収性能が高く、廃インク吸収体に好適である。廃インク吸収体では、図５（ｂ）の浸透力Ｆ１、Ｆ３、Ｆ５方向にインクを拡散させることが望ましいため、繊維で形成された廃インク吸収体の繊維方向は、Ｆ１，Ｆ３、Ｆ５の方向であることが望ましい。
【００７９】
単純積層される２つ以上の廃インク吸収体は同一材料で構成されていれば、廃インク吸収体のインク収容効率はよい。
【００８０】
また、顔料インクの凝集を抑制する有機溶剤を含む廃インク吸収体では、廃インク吸収体内部の大気中水分を吸湿するため、顔料インクの拡散前に凝集を生じさせる要因となる。そのため、廃インク吸収体内には、有機溶剤を含んではいけない。
【００８１】
ここで、「有機溶剤を含まない」とは、初期状態として
（１）揮発性の有機溶剤が残っていない、
（２）不揮発性の（吸湿性）有機溶剤を含まない、
状態を示す。揮発性の有機溶剤は蒸発してしまえば問題はないが、廃インク吸収体内に長期にわたって留まってしまっているような場合には本発明の効果を損なうことになる。なお、初期状態としてとは、後加工されていない吸収体であり、インクジェット記録装置が使用された結果排出された廃インクに含まれている水や有機溶剤が廃インク吸収体に存在することは問わない。
【００８２】
<蒸発抑制部材>
蒸発抑制部材の材料としては、非吸液性であり、廃インク収容部での廃インクの蒸発(主に水分蒸発)を阻止する機能を有していれば特に制限なく選択できる。吸液性の蒸発抑制部材では、廃インク吸収体内部の大気中水分を吸湿するため、顔料インクの拡散前に凝集を生じさせる要因となる。
【００８３】
また、図５（ａ）のように長尺板状廃インク吸収体１と蒸発抑制部材６との間に微小空間１６を形成しているが、蒸発抑制部材６の形状を波状やランダムな凹凸表面にするだけで、長尺板状廃インク吸収体１上に蒸発抑制部材６を落とし込むだけでよい。蒸発抑制部材６の形状を波状やランダムな凹凸表面にすることで長尺板状廃インク吸収体１との接触面積を小さくし微小空間１６を形成することができる。
【００８４】
また、蒸発抑制部材と廃インク吸収体との間に微小空間を形成するが、微小空間を介して実質的に大気に開口していれば、蒸発抑制部材の端部と廃インク吸収体とを接着させても構わない。
【００８５】
また、蒸発抑制部材と廃インク吸収体との間に微小空間を形成する観点で蒸発抑制部材の一部に開口が設けられている構成も可能である。
【００８６】
限られた設置面積の廃インク吸収体上に配置することを考慮すると、蒸発抑制部材は薄いシート状のものが好適である。一例としてポリエステル層や、蒸発抑制効果に優れたＳｉＯxを蒸着したものが挙げられる。
【００８７】
なお、蒸発抑制部材の最小限の目安としての構成は、例えば図２に示される廃インク吸収体の廃インク受け入れの開口部７の切り欠き幅（図２中左右方向）を１としたとき両側に２倍の領域を覆う構成となっていることである。また、蒸発抑制部材の奥行き（図２中奥行き方向）は顔料インクの開口部１０近傍の廃インク吸収体を１としたとき、奥行き方向に１．５倍（廃インク吸収体の奥行き全域）をほぼ覆うように構成されていることである。
【００８８】
次に、本発明にとって好ましいインク及び色材等の例を説明する。
【００８９】
（インク、色材の説明）
次に、本発明にとって好ましいインクおよび色材等の例を説明する。ただし、本発明は以下に限るものではなく、同様の廃インク凝集特性を有するインク色材やインクに対して有効であることは言うまでもない。
【００９０】
本発明は、特にブリード抑制性能を向上させたインクに対して有効である。ブリード抑制性能を向上させたインクの一例としては、色材として、親水性を有する基を直接若しくは他の原子団を介して結合している自己分散顔料（カーボンブラック等）を用いる。さらに複数の水溶性有機溶剤として少なくとも１種類がこの顔料の分散安定性を低下させる特性を有する貧溶媒である水溶性有機溶剤を用いたものがある。このようなインクを記録媒体に付与した場合、水分が蒸発するにつれ顔料に対する貧溶媒の比率が高まるため、記録媒体の上層部で顔料同士が凝集し始める。
【００９１】
その結果、単体としても周辺に他のインクがあってもブリードを抑制できる効果がある。さらにこのインクの色材としては、顔料表面に結合させる親水性を有する基の顔料表面に対し高密度とした顔料を色材として使用すると、上記利点がより顕著になる。この場合、色材構造による立体障害の影響により、従来の自己分散顔料に比べてインク中の溶剤が顔料と溶媒和しにくくなり、わずかな水分蒸発で顔料の分散安定性が低下する傾向を示す。その結果、ブリードをより緩和させる効果がある。
【００９２】
なお、本発明における貧溶媒とは、以下の特性を示す溶媒である。
「判定しようとする溶媒５０質量％程度を含み、且つインクに用いる色材を分散状態で含む顔料分散液を、６０℃で４８時間保存したときの当該液体中の粒子径が、判定しようとする溶媒を含まない、もしくは少量含み、かつ当該インクに用いる水不溶性色材を分散状態で含む顔料分散液の粒径と比較して大きい。」また、良溶媒とは、貧溶媒以外の特性を示す溶媒である。
【実施例】
【００９３】
以下、実施例及び比較例を用いて更に具体的に説明するが、本発明は、その要旨を越えない限り、これらに限定されるものではない。尚、特に指定のない限り、実施例、比較例のインク成分は「質量部」を意味する。
【００９４】
（使用インク）
（ブラックインク用顔料分散体の作製）
５．５ｇの水に５ｇの濃塩酸を溶かした溶液に、５℃に冷却した状態でｐ−アミノ安息香酸４．６５ｇを加えた。次に、この溶液が入った容器をアイスバスに入れて液を撹拌することにより溶液を常に１０℃以下に保った状態とし、これに、５℃の水９ｇに亜硝酸ナトリウム１．８ｇを溶かした溶液を加えた。この溶液を更に１５分撹拌後、比表面積が２２０ｍ2／ｇでＤＢＰ吸油量が１０５ｍｌ／１００ｇであるカーボンブラック２０ｇを撹拌下で加えた。その後、更に１５分撹拌した。得られたスラリーをろ紙（商品名：標準用濾紙Ｎｏ．２；アドバンテック製）でろ過した後、粒子を十分に水洗し、１１０℃のオーブンで乾燥させ、自己分散型カーボンブラックを調製した。更に、上記で得られた自己分散型カーボンブラックに水を加えて顔料濃度が１０質量％となるように分散させ、分散液を調製した。上記の方法により、カーボンブラック粒子表面に−Ｃ6Ｈ4−ＣＯＯＮａ基が導入されてなる自己分散型カーボンブラックが水中に分散された状態の顔料分散液を得た。
【００９５】
（カラーインク用染料の作製）
（シアン染料）
シアン染料は、Ｃ．Ｉ．ダイレクトブルー１９９を用いた。
（マゼンタ染料）
キシレン中で、下記式（１）で表される化合物、炭酸ナトリウム、ベンゾイル酢酸エチルエステルとを反応させ、反応物を濾過、洗浄した。これを、Ｎ，Ｎ−ジメチルホルムアミド中で、メタアミノアセトアニリド、酢酸銅、炭酸ナトリウムを順次添加して反応を行い、反応物を濾過、洗浄した。更にこれを、発煙硫酸中でスルホン化を行った後、濾過、洗浄し、これを、水酸化ナトリウムの存在下で、シアヌルクロライドと縮合反応を行った。この反応液中に、アンスラニル酸を添加し、水酸化ナトリウムの存在下で縮合反応を行った。これを濾過、洗浄を行うことにより、下記構造式（１）に示すマゼンタ染料を用いた。
【００９６】
【化１】
0005142800.tif 000002
【００９７】
(イエロー染料)
イエロー染料は、Ｃ．Ｉ．ダイレクトイエロー１３２を用いた。
(インクの調製)
下記表１に示す各成分を混合し、十分撹拌した後、ポアサイズ０．２μｍ（顔料ブラックインクの場合はポアサイズ３．０μｍ）のメンブレンフィルターにて加圧濾過を行い、インクを調製した。なお、このインクセットはブリード抑制性能が高いインクセットであり、特に顔料ブラックインクの凝集性が高いため、わずかな水分蒸発でも廃インクの凝集が起こりやすいインクである。すなわち、本発明の効果が最も顕著に見られるインクである。
【００９８】
【表１】
0005142800.tif 000003
【００９９】
(蒸発抑制部材)
ＰＥＴフィルム(厚み：0.1mm)を用いた。
【０１００】
(インクジェット記録装置)
図２に示すような３層積層型の長尺板状廃インク吸収体に蒸発抑制部材が配置された構成の廃インク収容部を備えたインクジェット記録装置を用いた。ただし参考例４のみ、蒸発抑制部材がない構成となっている。廃インク吸収体の材質は、パルプを用いたが、その他のウレタンフォームや繊維で形成されたポリエステルなどであてもよく、本発明は、これらに限定されるものではない。また、廃インク吸収体容積は、標準印字枚数が1万枚となるように設定した。
【０１０１】
以下、実施例１〜４、参考例１〜４、及び比較例１、２の廃インク収容ユニットの構成について説明する。
【０１０２】
＜実施例１＞
図１０に示すように、３層積層型の長尺板状廃インク吸収体に、約１ｍｍの微小空間を設けて蒸発抑制部材を配置した形態である。蒸発抑制部材は２面を有し、第１長尺板状廃インク吸収体の上部を覆う面の大きさは、顔料ブラックインクの廃インクを吸収させたい領域の50％となるような大きさとした。
【０１０３】
＜実施例２＞
図１１に示すように、３層積層型の長尺板状廃インク吸収体に、約１ｍｍの微小空間を設けて蒸発抑制部材を配置した形態である。蒸発抑制部材は２面を有し、第１長尺板状廃インク吸収体の上部を覆う面の大きさは、顔料ブラックインクの廃インクを吸収させたい領域の80％となるような大きさとした。
【０１０４】
<実施例３>
図２に示すように、３層積層型の長尺板状廃インク吸収体に、約１ｍｍの微小空間を設けて蒸発抑制部材を配置した形態である。蒸発抑制部材は４面を有し、第１長尺板状廃インク吸収体の上部を覆う面の大きさは、顔料ブラックインクの廃インクを吸収させたい領域の80％となるような大きさとした。
【０１０５】
<実施例４>
図４に示すように、３層積層型の長尺板状廃インク吸収体に、約１ｍｍの微小空間を設けて蒸発抑制部材を配置した形態である。蒸発抑制部材は５面を有し、第１長尺板状廃インク吸収体の上部を覆う面の大きさは、顔料ブラックインクの廃インクを吸収させたい領域の80％で染料インクの廃インクを吸収させたい領域の40％となるような大きさとした。
【０１０６】
<参考例１>
第１長尺板状廃インク吸収体と蒸発抑制部材とを密着させた以外は、実施例２と同様の形態である。
<参考例２>
第１長尺板状廃インク吸収体と蒸発抑制部材とを密着させ、さらに下記のとおり調製した凝集阻止液体を、廃インクチューブ付近の第1長尺板状廃インク吸収体に５g含浸させた以外は、参考例１と同様の形態である。
(蒸発阻止液体)
下記の各成分を混合し、十分攪拌した後、ポアサイズ3.0μmのメンブレンフィルターにて加圧濾過を行い、凝集阻止液体を調製した。
グリセリン：75重量％
アセチレノールE１００(川研ファインケミカル製)：0.05重量％
水：24.95重量％
<参考例３>
上記で調整した凝集阻止液体を、廃インクチューブ付近の第１長尺板状廃インク吸収体に５g含浸させた以外は、参考例１と同様の形態である。
<参考例４>
蒸発抑制部材及び凝集阻止液体のない形態である。
【０１０７】
<比較例１>
図９に示すように、単体廃インク吸収体に、約１ｍｍの微小空間を設けて蒸発抑制部材を配置したである。
<比較例２>
図９に示すように、単体廃インク吸収体に、約１ｍｍの微小空間を設けて蒸発抑制部材を配置し、さらに上記で調製した凝集阻止液体を廃インクの接触表面に５ｇ含浸させた形態である。
【０１０８】
（試験方法）
上記で調整したブラックインクとカラーインクを注入したインクタンクを装着した各実施例、参考例及び比較例のインクジェット記録装置について、30℃/10%RH環境下で、黒文字文書パターンを２分ごとに１枚印字する試験を実施した。なお、正常なインク吐出状態を維持するための予備吐出や吸引は、キヤノン(株)製のBJS-600の改造機を用いて行った。
【０１０９】
(評価方法)
8,000印字時点での廃インク吸収性について、目視観察により以下の基準で評価した。
目視評価基準
○：廃インク吸収体が廃インクを十分吸収し、凝集、堆積は見られない。
×：廃インク吸収体が廃インクを十分に吸収できないまま、堆積あるいは這い上がりが起こっている。
(評価結果)
評価結果を表２に示す。なお、実施例及び比較例における廃インク吸収の変化を図５、ならびに図６及び図９における（ａ）から（ｄ）までに示した。
【０１１０】
【表２】
0005142800.tif 000004
【０１１１】
上記結果のとおり、実施例１〜４では標準印字枚数の1万枚まで印字を行っても廃インクの堆積や這い上がりは起こらなかった。特に実施例３、４は標準印字枚数の1万枚を超え、14,000枚まで印字を行っても堆積は起こらず、顔料ブラックインクの廃インクを吸収させたい領域全体に廃インクが拡散し、吸収体を有効に使いきる結果となった。一方、参考例や比較例では標準印字枚数の50％以下の印字で廃インクの堆積あるいは這い上がりが起こり、吸収体の吸収能力を有効に使うことができなかった。さらに廃インクチューブが堆積したインクで詰まり、吸引不良を起こした。
【産業上の利用の可能性】
【０１１２】
本発明は、自己分散顔料を含む廃インクに対して時に有効であるが、カプセルインクや樹脂分散顔料などの内、凝集しやすい特性をもつ廃インクにも適用でき、会合しやすい水性染料を含む廃インクにも適用できる発明である。また、本発明は、インクジェット記録装置に最適であるが、他の水性インクを用いたインク記録を行うインク記録装置全般に適用可能である。
【図面の簡単な説明】
【０１１３】
【図１】本発明の第１の実施形態における廃インク収納ユニットの分解斜視図である。
【図２】図１における廃インク収納ユニットを組み込んだ斜視図である。
【図３】本発明の第２の実施形態における廃インク収納ユニットの分解斜視図である。
【図４】図３における廃インク収納ユニットを組み込んだ斜視図である。
【図５】図２における廃インク収納ユニットの断面であり、（ａ）は廃インク収納ユニットの全体を現わし、（ｂ）は廃インクの浸透力を説明するための廃インク収納ユニットの断面図である。
【図６】図５の廃インクの拡散状態を説明するための廃インク収納ユニットの断面図であり、（ａ）〜（ｅ）は廃インクが排出された後の保持領域の変化を廃インク吸収経過に従って順に示した図である。
【図７】本発明の効果を説明するための図５に対する比較例の断面であり、（ａ）は廃インク収納ユニットの全体を現わし、（ｂ）は廃インクの浸透力を説明するための廃インク収納ユニットの断面図である。
【図８】本発明の効果を説明するための図６に対する比較例の断面であり、（ａ）〜（ｅ）は廃インクが排出された後の保持領域の変化を廃インク吸収経過に従って順に示した図である。
【図９】本発明の効果を説明するための図６に対する比較例の断面であり、（ａ）〜（ｄ）は廃インクが排出された後の保持領域の変化を廃インク吸収経過に従って順に示した図である。
【図１０】本発明の第１の実施形態における蒸発抑制部材の変形例の斜視図である。
【図１１】本発明の第１の実施形態における蒸発抑制部材の別の変形例の斜視図である。
【符号の説明】
【０１１４】
１、２、３：長尺板状廃インク吸収体
４、５：廃インクチューブ
６、１０６、２０６、３０６：覆い部材（蒸発抑制部材）
７、１０７、２０７、３０７：スリット・開口部
９、１０９：廃インク収容部（ユニット）
１０、３０、４０、１６６：開口部
１４、１５、１６、４６：微小空間
１８：顔料インク
１９：筐体
４２：単体の長尺板状廃インク吸収体
【図１】
0005142800.tif 000005
【図２】
0005142800.tif 000006
【図３】
0005142800.tif 000007
【図４】
0005142800.tif 000008
【図５】
0005142800.tif 000009
【図６】
0005142800.tif 000010
【図７】
0005142800.tif 000011
【図８】
0005142800.tif 000012
【図９】
0005142800.tif 000013
【図１０】
0005142800.tif 000014
【図１１】
0005142800.tif 000015